(57)【要約】      （修正有）【課題】箱体を載置することで宅配ボックスの防犯性、耐風性を確保することができるベースを提供する。【解決手段】箱体を載置するベース４０であって、錘５０を収納する錘収納空間４１と、錘収納空間に錘を出し入れするための錘用開口部４２と、を有するベースを提供する。また、前記錘収納空間は、前記錘である液体を貯蔵可能なタンクを備え、前記タンクは、前記液体を出し入れするための注排液口と、前記注排液口を開閉するキャップと、を有する構造としても良い。【選択図】図４
0003232399.tif 000002
【実用新案登録請求の範囲】
【請求項１】
箱体を載置するベースであって、
錘を収納する錘収納空間と、
前記錘収納空間に前記錘を出し入れするための錘用開口部と、を有するベース。
【請求項２】
前記錘収納空間は、前記錘である液体を貯蔵可能なタンクを備え、
前記タンクは、前記液体を出し入れするための注排液口と、前記注排液口を開閉するキャップと、を有する、
請求項１に記載のベース。
【請求項３】
前記タンクは、折り畳み可能に構成されている、
請求項２に記載のベース。
【考案の詳細な説明】
【技術分野】
【０００１】
本考案は、箱体を載置するベースに関する。
【背景技術】
【０００２】
近年、インターネット等による通信販売の普及に伴い、不在時でも荷物を受領することができる宅配ボックスの設置が増加している。また、小型の自動販売機や小型の物置などの箱体が数多く設置されている。このような宅配ボックスなどの箱体は、一般的に屋外に設置されるため、配達された荷物などが中に入ったまま箱体ごと盗難にあったり、台風等のように暴風の吹く荒れた天候の場合には箱体が吹き飛ばされたりするおそれがあるため、箱体には防犯性、耐風性、あるいは水害流動防止性などが要求される。
防犯性を備えた宅配ボックスに関する発明が、例えば、特許文献１に開示されている。
【先行技術文献】
【特許文献】
【０００３】
【特許文献１】特開２０２１−１３５０７号公報
【考案の概要】
【考案が解決しようとする課題】
【０００４】
しかしながら、特許文献１に開示された従来技術では、宅配ボックスを２本の支柱の間に設置して、この２本の支柱に宅配ボックスをねじで固定することで防犯性を確保するものである。すなわち、宅配ボック単体で防犯性を備えるものではなく、支柱の設置が必要であり、支柱が設置できない場合には防犯性を確保することができないとの問題があった。
【０００５】
そこで、本開示は、箱体を載置することで箱体の防犯性、耐風性を確保することができるベースを提供することを目的とする。
【課題を解決するための手段】
【０００６】
本考案は、上記目的を達成するために以下によって把握される。
（１）本考案のベースは、箱体を載置するベースであって、錘を収納する錘収納空間と、前記錘収納空間に前記錘を出し入れするための錘用開口部と、を有する。
（２）上記（１）において、前記錘収納空間は、前記錘である液体を貯蔵可能なタンクを備え、前記タンクは、前記液体を出し入れするための注排液口と、前記注排液口を開閉するキャップと、を有する。
（３）上記（２）において、前記タンクは、折り畳み可能に構成されている。
【考案の効果】
【０００７】
本開示によれば、箱体を載置することで箱体の防犯性、耐風性を確保することができるベースを提供することができる。
【図面の簡単な説明】
【０００８】
【図１】本考案の実施形態に係るベースに載置された宅配ボックスの斜視図である。
【図２】本考案の実施形態に係るベースに載置された宅配ボックスの扉を開いた状態の斜視図である。
【図３】本考案の実施形態に係るベースに載置された宅配ボックスの荷物の出し入れを示す図である。
【図４】本考案の実施形態に係るベースに載置された宅配ボックスの構造を示す斜視図である。
【図５】本考案の実施形態に係るタンクの斜視図である。
【図６】本考案の実施形態に係るタンク（折り畳み状態）の斜視図である。
【考案を実施するための形態】
【０００９】
以下、添付図面を参照しながら各実施形態について詳細に説明する。
なお、実施形態の説明の全体を通して同じ要素には同じ番号又は符号を付している。
【００１０】
図１は、本考案の実施形態に係るベース４０に載置された宅配ボックス１の前方から見た斜視図である。
図１を用いて、本考案の実施形態に係るベース４０とベース４０に載置された箱体である宅配ボックス１を説明する。載置するとは、ベース４０に宅配ボックス１などの箱体を載せて固定することをいう。固定は、例えば、ねじなどによって行うことでもよい。以下、箱体は宅配ボックス１を例として説明するが、他の箱体、例えば、自動販売機や物置などであっても同様である。また、特に指定がない場合には、以下の説明において、図１の手前側が前、奥側が奥、上側が上、下側が下又は底、右側が右、左側が左、をそれぞれ指すものとする。
【００１１】
宅配ボックス１は、配達される荷物を収納するためのものであって、本体１０と、本体１０に対して施錠可能な扉２０と、を有しており、ベース４０は、扉２０が取り付けられた本体１０を載置している。
【００１２】
扉２０の前面には、錠２１が設けられている。錠２１は、キー２３が挿入されるようになっており、キー２３を挿入して回転することで、扉２０を本体１０に施錠したり、解錠したりする。錠２１は、ボタンを奥に押し込むことで施錠し、キー２３を挿入して回転することで解錠するプッシュ錠を用いてもよい。扉２０の施錠手段は、このようなシリンダー錠に限定されず、例えば、カードリーダによりカードの情報を読み取って施錠、解錠を行うようにしてもよく、番号入力手段を備え、所定の番号を入力することで解錠するようにしてもよい。
【００１３】
図１において、扉２０の前面には、更に、つまみ２４と、確認窓２５が設けられている。これらは配達された荷物の受取状態が一目でわかるようにするために設けられており、つまみ２４を回すことで、確認窓２５に表示される色が、例えば、赤と青に変わるようにしたものである。
【００１４】
配達員が荷物を収納して施錠し、つまみ２４を操作して確認窓２５の表示を赤にする。使用者は、確認窓２５の表示が赤であることを見て、荷物が収納されていることがわかるため、キー２３により扉２０を解錠して荷物を取り出し、つまみ２４を操作して確認窓２５の表示を青にする。これにより、配達員がその家の前を通りがかった際に、荷物が受領されたことがわかる。また、使用者が確認したときや配達員が荷物を配達した際に、確認窓２５の表示が青であることを見て、宅配ボックス１の中に荷物が収納されていないことがわかる。
【００１５】
ベース４０の底部には、アジャスター８５が２つあるいは４つなど、複数設けられている。ベース４０の底部からのそれぞれのアジャスター８５の出っ張り量を調整することで、設置面に対して安定して設置できる。
【００１６】
図２は、本考案の実施形態に係るベース４０に載置された宅配ボックス１の扉２０を開いた状態の斜視図である。
図２において、本体１０は、荷物を収納する収納空間１１と、収納空間１１に荷物を出し入れするための開口部１２と、を有している。図２において、開口部１２は二点鎖線で示しており、ベース４０の範囲には設けられていない。
【００１７】
扉２０の内側には、錠機構２２が設けられており、本体１０に対して扉２０を施錠したり、解錠したりする。また、印鑑ケース２９に印鑑２９ａが収納されており、伝票等にこの印鑑２９ａで受領印を押して荷物を置いていくことができるようにしてもよい。扉２０の裏面には、補強板２８を設けて、扉２０の強度を向上させてもよい。
【００１８】
図３は、本考案の実施形態に係るベース４０に載置された宅配ボックス１の荷物Ｌの出し入れを示す図である。
図３では、図２と同様に扉２０を開いた状態を示している。この状態で、本体１０の収納空間１１に対して開口部１２を通して荷物Ｌを出し入れすることができる。
【００１９】
図４は、本考案の実施形態に係るベース４０とベース４０に載置された宅配ボックス１の主要な構造を示す斜視図である。
本体１０は、上面板１４と、右の側面板１５と、左の側面板１６と、奥面板１７と、下面フレーム１８と、を有しており、図４では直方体に構成されているが、これに限定されるものではない。
【００２０】
側面板１５又は側面板１６において、扉２０が本体１０に対して回動可能に支持される。図４においては、扉２０が側面板１５に支持される例を示している。扉２０はヒンジにより回動可能に支持されるようにしてもよいが、これに限定されるものではなく、ヒンジ以外の手段で扉２０を本体１０に対して回動可能に支持してもよい。例えば、本体１０においてピンを上下に設けて、このピンの受け金具を扉２０に設けてもよい。
【００２１】
下面フレーム１８は本体１０の底部に設けられている。通常の使用時において、下面フレーム１８の上に底面板３０が載置されている。荷物Ｌは、底面板３０に載置されるようにしてもよいが、これに限定されるものではない。
【００２２】
本体１０を載置するベース４０は、図４に示す例では、ねじ８０と平座金８１を用いて本体１０に固定されているが、固定する方法はこれに限定されるものではない。
【００２３】
ベース４０は、本体１０の下面フレーム１８に対向して二点鎖線で示す錘用開口部４２が設けられている。錘用開口部４２の下には、錘収納空間４１が設けられており、矢印Ｂで示すように、錘５０を、錘用開口部４２を通して錘収納空間４１に収納する。また、逆に、錘５０を、錘用開口部４２を通して錘収納空間４１から取り出す。ベース４０は、錘５０が錘用開口部４２以外から錘収納空間４１に出し入れできないように構成されている。図４において、ベース４０は、下面及び下面に立設する４面が板状に構成されており、錘用開口部４２以外は閉じた面になっている。
【００２４】
錘５０は、図４においてはコンクリートブロックである例を示しているが、これに限定されるものではなく、例えば、金属製であってもよく、液体を貯蔵した容器などであってもよい。
【００２５】
図４において、底面板３０は、本体１０から矢印Ａに示すように開口部１２（図２参照）を通して前方に取り外し可能に構成されているが、これに限定されるものではない。例えば、本体１０に対して回動可能に支持されていてもよく、水平方向にスライドするようにしてもよい。
【００２６】
ベース４０、宅配ボックス１の組み立て、設置方法について説明する。まず、ベース４０の底面にアジャスター８５を、例えば、４箇所に取り付ける。次に、矢印Ｂに示すように、ベース４０の錘用開口部４２から錘収納空間４１に錘５０を収納する。次に、底面板３０を外した状態又は回動した状態で扉２０が取り付けられた本体１０をベース４０に載置し、ねじ８０と平座金８１によって本体１０をベース４０に本体１０の内側から固定する。次に、底面板３０を下面フレーム１８の上に設置する。最後に、宅配ボックス１の設置面に合わせてアジャスター８５の高さを調整して、ベース４０、宅配ボックス１の組み立て、設置が完了する。
【００２７】
ベース４０と宅配ボックス１は、ベース４０に対して本体１０を、例えば、ねじ８０と平座金８１によって、固定する作業、逆に取り外す作業は、底面板３０を外した状態又は回動した状態で本体１０の内側からのみ行うことができるようにしてもよい。このようにすることで、宅配ボックス１の扉２０が閉じて施錠された状態では、キー２３が無ければ、ベース４０から本体１０を取り外すことができないようになり、ベース４０に載置する宅配ボックス１の防犯性を確保することができる。
【００２８】
図５は、本考案の実施形態に係るタンク６０の斜視図である。
図６は、本考案の実施形態に係るタンク６０の折り畳み状態の斜視図である。
【００２９】
図４において、錘収納空間４１に収納された錘５０は、コンクリートブロックである例を示したが、錘５０は、コンクリートブロックに限定されるものではない。
【００３０】
図５に示すタンク６０は、錘５０である液体を貯蔵可能であり、液体を出し入れするための注排液口６１と、注排液口６１を開閉するキャップ６２と、を有するものである。また、図５に示すように、持ち運びのために、取手６３を設けてもよい。
【００３１】
注排液口６１は、タンク６０の上面に筒状に突出し、キャップ６２が注排液口６１に嵌合して注排液口６１を閉じて、タンク６０の内部に貯蔵されている液体が漏れないようにしてもよい。キャップ６２を上方に引き注排液口６１に対する嵌合を外すことで注排液口６１が開き、タンク６０の内部に貯蔵されている液体を排出すること、又は、タンク６０の内部に液体を注入すること、すなわち、液体を出し入れすることができる。
【００３２】
あるいは、注排液口６１は、タンク６０の上面に筒状に突出し、その外周面に雄ねじが設けてあり、キャップ６２は凹状であり、内側に雌ねじが設けてあり、キャップ６２の雌ねじが注排液口６１の雄ねじと螺合することで注排液口６１が閉じられて、タンク６０の内部に貯蔵されている液体が漏れないようにしてもよい。注排液口６１とキャップ６２の螺合を解いてキャップ６２を外すことで、注排液口６１が開き、タンク６０の内部に貯蔵されている液体を排出すること、又は、タンク６０の内部に液体を注入すること、すなわち、液体を出し入れすることができる。
【００３３】
図６に示すように、タンク６０は折り畳み可能に構成されている。このようにすることで、例えば、タンク６０を使用していないときには、コンパクトに保管することができる。
【００３４】
タンク６０に貯蔵する液体は水が最も一般的であるが、これに限定されるものではない。液体を錘５０として使用する観点からは、水よりも比重の大きい液体でもよい。また、タンク６０に貯蔵するのは液体に限定されるものではなく、例えば、砂や金属粉などのような粒状体であってもよい。砂などの粒状体をタンク６０に貯蔵することで、更に重量のある錘５０として用いることができる。このような、粒状体の場合も、液体と同様に、タンク６０に対して出し入れすることができる。
【００３５】
タンク６０は、例えば、ポリエチレンなどの樹脂で形成されるようにしてもよい。このようにすることで、貯蔵する液体の漏れの発生がなく、折り畳みし易くすることができる。
【００３６】
以上説明したように、宅配ボックス１は、荷物を収納する宅配ボックス１であって、荷物を収納する収納空間１１と、収納空間１１に荷物を出し入れするための開口部１２と、を有する本体１０と、開口部１２を開閉可能に設けられ、開口部１２を閉じた状態で本体１０に対して施錠可能な扉２０と、底面板３０と、を有する宅配ボックス１であってもよい。
【００３７】
宅配ボックス１を載置するベース４０に錘収納空間４１を設け、この錘収納空間４１に錘５０を収納することで宅配ボックス１に荷物が収納されていない状態においても所定の重量になるように構成されている。このようにすることで、ベース４０に宅配ボックス１を載置することで宅配ボックス１の防犯性、耐風性、水害流動防止性などを確保することができる。なお、載置するとは、ベース４０に宅配ボックス１などの箱体を載せて、例えば図４に示すようにねじ８０と平座金８１などによって、固定することをいう。
【００３８】
また、ベース４０に載置される宅配ボックス１などの箱体は、扉２０を解錠して開口部１２を開き、底面板３０を取り外したり回動等したりすることで、本体１０の内側からのみ、ベース４０から取り外すことができるように構成してもよい。すなわち、扉２０が本体１０に対して施錠された状態では、キー２３がないと、ベース４０から宅配ボックス１を取り外すことができないようにしてもよい。そして、宅配ボックス１をベース４０に載置して所定の重量にしておくことで、配達された荷物が中に入ったまま宅配ボックス１ごと運んでいくことを困難にすることができる。このようにすることで、ベース４０に載置した宅配ボックス１の防犯性を確保することができる。
【００３９】
本実施形態に係るベース４０は上記のとおり、宅配ボックス１を載置して使用することができるが、これに限定されるものではない。ベース４０に載置する箱体は、宅配ボックス１の他、例えば、小型の自動販売機、小型の物置など、であってもよい。これらの箱体は、盗難防止、転倒防止、水害流動防止などを必要とするものであり、錘５０を収納したベース４０に載置して使用することで、防犯性、耐風性、水害流動防止性などを確保することができる。
【００４０】
すなわち、本実施形態に係るベース４０は、このように様々な箱体を載置するベース４０であって、錘５０を収納する錘収納空間４１と、錘収納空間４１に錘５０を出し入れするための錘用開口部４２と、を有するものである。この錘収納空間４１は、錘５０である液体を貯蔵可能なタンク６０を備え、図５に示すように、タンク６０は、液体を出し入れするための注排液口６１と、注排液口６１を開閉するキャップ６２を有しているようにしてもよい。また、タンク６０は、図６に示すように、折り畳み可能に構成されているようにしてもよい。
【００４１】
なお、箱体及びベース４０の形状は、図４などにおいて直方体であるように示されているが、これに限定されるものではない。例えば、底面が円形の円柱でもよく、底面が楕円形の楕円柱でもよく、底面が多角形の角柱などの形状でもよい。
【００４２】
以上の説明のとおり、本考案によれば、箱体を載置することで箱体の防犯性、耐風性を確保することができるベース４０を提供することができる。
【００４３】
以上、具体的な実施形態に基づいて本考案を説明してきたが、本考案は上記実施形態に限定されるものではなく、適宜、変形や改良を実施しても良い。
【００４４】
このように、本考案は、具体的な実施形態に限定されるものではなく、適宜、変形や改良を施したものも本考案の技術的範囲に含まれるものであり、そのことは、当業者にとって実用新案登録請求の範囲の記載から明らかである。
【符号の説明】
【００４５】
１      宅配ボックス
１０    本体
１１    収納空間
１２    開口部
１４    上面板
１５    側面板
１６    側面板
１７    奥面板
１８    下面フレーム
２０    扉
２１    錠
２２    錠機構
２３    キー
２４    つまみ
２５    確認窓
２８    補強板
２９    印鑑ケース
３０    底面板
４０    ベース
４１    錘収納空間
４２    錘用開口部
５０    錘
６０    タンク
６１    注排液口
６２    キャップ
６３    取手
８０    ねじ
８１    平座金
８５    アジャスター
Ｌ      荷物
【図１】
0003232399.tif 000003
【図２】
0003232399.tif 000004
【図３】
0003232399.tif 000005
【図４】
0003232399.tif 000006
【図５】
0003232399.tif 000007
【図６】
0003232399.tif 000008